(57)【特許請求の範囲】
【請求項１】
コイルと、このコイルを巻回する筒部を有するボビンと、前記筒部の内部に遊嵌される柱状部を有しこの柱状部の後端部から前記筒部の径方向に延びる接続部を有しこの接続部の端部から前記筒部に略平行に前記柱状部と同方向に延びる脚部を有するコアと、前記ボビンに一体に設けられて前記柱状部を前記筒部に略同心に位置決めするように前記脚部を保持する保持手段と、前記コイルを巻回し前記コアを組み込んだ前記ボビンを収納するケースとを備え、
前記保持手段は、前記筒部の周面の接線に接する平面に平行な底面と、前記筒部から離れる方向に前記底面の両側から延びて前記筒部の軸方向に平行な一対の側面とからなる、軸方向に平行な略溝状のボビン脚部カバーであり、
前記ケースは、前記ボビンを前記ケースに挿入する挿入方向に延びた突条状の突起を前記ケースの内側面に形成し、前記ボビンを前記ケースに収納する際、前記突起により前記脚部を前記ボビン脚部カバー内の前記筒部の軸方向および径方向に圧入嵌合して前記筒部と前記柱状部を略同心位置に維持する電磁装置。
【発明の詳細な説明】
【０００１】
【発明の属する技術分野】
この発明は、コア、ボビンおよびコイルを有する電磁装置に関するものである。
【０００２】
【従来の技術】
従来例を図５および図６に示す。すなわち、７０は一対のコア、７１はボビン、７２はその１次ボビン部、７３はコイル、７４は絶縁テープである。この電磁装置は、コア７０をボビン７１および１次ボビン部７２に固定するのに絶縁テープ７４を用いていた。そのため、図６に示すようにコア７０の柱状部７５と、ボビン７１の筒部７６とが偏心する可能性があった。
【０００３】
【発明が解決しようとする課題】
従来の絶縁テープ７４による固定では、コア７０の柱状部７５とボビン７１の筒部７６を同心位置に維持することが難しく、容易に偏心してコイル７３との絶縁距離が短くなる箇所ができ、絶縁耐圧不良を起こす可能性があった。
さらに絶縁テープ７４を使用することにより部品点数が増加しコストアップと組立時の工数アップになっていた。
【０００４】
したがって、この発明の目的は、部品点数が増加せず組立容易で偏心なくコアをボビン内に位置決めすることができる電磁装置を提供することである。
【０００５】
【課題を解決するための手段】
請求項１記載の電磁装置は、コイルと、このコイルを巻回する筒部を有するボビンと、前記筒部の内部に遊嵌される柱状部を有しこの柱状部の後端部から前記筒部の径方向に延びる接続部を有しこの接続部の端部から前記筒部に略平行に前記柱状部と同方向に延びる脚部を有するコアと、前記ボビンに一体に設けられて前記柱状部を前記筒部に略同心に位置決めするように前記脚部を保持する保持手段と、前記コイルを巻回し前記コアを組み込んだ前記ボビンを収納するケースとを備え、
前記保持手段は、前記筒部の周面の接線に接する平面に平行な底面と、前記筒部から離れる方向に前記底面の両側から延びて前記筒部の軸方向に平行な一対の側面とからなる、軸方向に平行な略溝状のボビン脚部カバーであり、
前記ケースは、前記ボビンを前記ケースに挿入する挿入方向に延びた突条状の突起を前記ケースの内側面に形成し、前記ボビンを前記ケースに収納する際、前記突起により前記脚部を前記ボビン脚部カバー内の前記筒部の軸方向および径方向に圧入嵌合して前記筒部と前記柱状部を略同心位置に維持するものである。
【０００６】
請求項１記載の電磁装置によれば、コアの脚部をボビンの保持手段で保持したため、コアの柱状部をボビンの筒部内に偏心することなく略同心に位置決めすることができ、絶縁テープと比較して安定した保持が可能となる。このため、コイルと柱状部との絶縁距離が一様に確保され、絶縁距離が短い箇所があることによる絶縁破壊を防ぐことができ、安定した高品質で経年劣化の少ない耐久性のある電磁装置を実現することができる。さらに絶縁テープが不要になることで、部品点数と加工および組立工数を削減でき、コストダウンが可能となる。
【０００７】
また、保持手段が、前記筒部の周面の接線に接する平面に平行な底面と、前記筒部から離れる方向に前記底面の両側から延びて前記筒部の軸方向に平行な一対の側面とからなる、軸方向に平行な略溝状のボビン脚部カバーであるため、脚部を保持手段に位置決めしやすいので組立容易である。
【０００８】
さらにケースの突起でコアの脚部を押え固定するので、柱状部と筒部との略同心配置が維持され、単純な形状で確実に保持できるとともに、ケースへ組み込んだ後の柱状部と筒部との略同心位置のばらつきを抑え、品質アップが可能となる。
【０００９】
【発明の実施の形態】
この発明の第１の実施の形態を図１および図２により説明する。すなわち、この電磁装置は高圧トランスに適用されるもので、コイル１と、ボビン２と、コア３とを有する。
コイル１は通常の高圧トランス用のコイル線を用いている。
【００１０】
ボビン２は、コイル１を巻回する筒部４を有する。実施の形態では円筒状の筒部４の一端に一対のフランジ１０，１１を設け、その間の筒部４に１次コイル（図示せず）を巻回する１次ボビンを構成している。また他端のフランジ５および一対のフランジ１０，１１にそれぞれコイル端子１２〜１４を設け、コイル１および１次コイルの端部を接続している。
【００１１】
コア３は、筒部４の内部に遊嵌される柱状部７を有し、この柱状部７の後端部から筒部の径方向に延びる接続部８を有し、この接続部８の端部から筒部に略平行に柱状部７と同方向に延びる脚部９を有する。実施の形態のコア３は一対からなり、圧粉鉄心を成形したＲＵ型フェライトコアを用い、柱状部７が外径が筒部４の内径よりも小さい円柱状であり、接続部８および脚部９がそれぞれ角柱状であり、全体としてコ字形をなしている。したがって、柱状部７が筒部４に嵌合すると遊嵌状態となり、柱状部７の外面と筒部４の内面との間に隙間１５が形成され、柱状部７と筒部４とが離隔形成される。柱状部７を筒部４に遊嵌した状態で脚部９の端面９ａ同士がギャップをおいて相対向する。
【００１２】
保持手段６は、ボビン２に設けられて柱状部８を筒部４に略同心に位置決めするように脚部９を保持する。実施の形態では、保持手段６が脚部９を圧入嵌合させる角筒状に形成され、これを筒部４の側部に配置し、その端部とフランジ５，１０の縁部とを一体に連結している。この場合、フランジ５は外周に周壁１６を形成してその内側に接続部８を嵌める凹部１７を形成している。
【００１３】
この高圧トランスは、脚部９を保持手段６に圧入嵌合することにより柱状部７が筒部４内に嵌められるとともに接続部８が凹部１７に嵌められて、保持手段６によりコア３がボビン２に保持される。この場合、寸法関係の設定により柱状部７を筒部４に略同心に位置決めすることができるので、柱状部７の外周と筒部４の内周との間の隙間１５が全周にわたって略一定となり、柱状部７と筒部４とが略一定に離隔形成される。
【００１４】
またエポキシ樹脂等の絶縁樹脂を隙間１５に充填すると均一充填となり絶縁が向上する。
この発明の第２の実施の形態を図３に示す。すなわち、この電磁装置は、第１の実施の形態の保持手段６を角筒形に代えて、保持手段６が、筒部４の周方向に対向する一対の側面６ａ，６ｃと径方向の外方に向いた底面６ｂからなる軸方向に平行な略溝状のボビン脚部カバーであり、脚部９が保持手段６に軸方向および径方向に圧入嵌合されるようにしている。
【００１５】
この実施の形態によれば、脚部９を保持手段６に位置決めしやすいので組立容易である。また単純な形状で柱状部７と筒部４を略同心位置に維持でき、コイル１の高電圧部とコア３の柱状部７との沿面距離が増えることにより、低コストで沿面放電を防止できる。その他は第１の実施の形態と同様である。
この発明の第３の実施の形態を図４に示す。すなわち、第２の実施の形態において、コイル１、ボビン２およびコア３を収納するケース１９を有し、脚部９を保持手段６に筒部４の軸方向および径方向に押圧して筒部４と柱状部７を略同心位置に維持する突起２０，２１をケース１９に設けている。実施の形態の突起２０，２１はケース１９の内側面に形成したリブであり、コア３の接続部８および脚部９に対向するように形成している。突起２０は脚部９を径方向に押圧し、突起２１は接続部８を介して脚部９を軸方向に押圧する。
【００１６】
ボビン２にコイル１を巻装し、コア３の柱状部７を筒部４に挿入するように脚部９を保持手段６に保持させて、ケース１９に挿入すると、突起２０，２１でコア３の脚部９をボビン２の保持手段６に軸方向および径方向に押付け、柱状部７を筒部４に略同心に維持する。
この実施の形態によれば、ケース１９の突起２０，２１でコア３の脚部９を押え固定するので、柱状部７と筒部４との略同心配置が維持され、単純な形状で確実に保持できるとともに、ケース１９へ組み込んだ後の柱状部７と筒部４との略同心位置のばらつきを抑え、品質アップが可能となる。その他は、第２の実施の形態と同様である。
【００１７】
なお、第３の実施の形態のケース１９は第１の実施の形態の電磁装置に適用することも可能である。
また、この発明において、保持手段６およびコア３はボビンの一端側のみに設けられたものでもよい。また保持手段６と脚部９とは面当たりでもよいが、保持手段６の内面に形成したリブに脚部９を圧入する構成でもよい。
【００１８】
【発明の効果】
請求項１記載の電磁装置によれば、コアの脚部をボビンの保持手段で保持したため、コアの柱状部をボビンの筒部内に偏心することなく略同心に位置決めすることができ、絶縁テープと比較して安定した保持が可能となる。このため、コイルと柱状部との絶縁距離が一様に確保され、絶縁距離が短い箇所があることによる絶縁破壊を防ぐことができ、安定した高品質で経年劣化の少ない耐久性のある電磁装置を実現することができる。さらに絶縁テープが不要になることで、部品点数と加工および組立工数を削減でき、コストダウンが可能となる。
また、保持手段が、前記筒部の周面の接線に接する平面に平行な底面と、前記筒部から離れる方向に前記底面の両側から延びて前記筒部の軸方向に平行な一対の側面とからなる、軸方向に平行な略溝状のボビン脚部カバーであるため、脚部を保持手段に位置決めしやすいので組立容易である。
さらにケースの突起でコアの脚部を押え固定するので、柱状部と筒部との略同心配置が維持され、単純な形状で確実に保持できるとともに、ケースへ組み込んだ後の柱状部と筒部との略同心位置のばらつきを抑え、品質アップが可能となる。
【００１９】
請求項２記載の電磁装置によれば、請求項１と同様な効果のほか、脚部を保持手段に位置決めしやすいので組立容易である。
請求項３記載の電磁装置によれば、請求項２と同様な効果のほか、ケースの突起でコアの脚部を押え固定するので、柱状部と筒部との略同心配置が維持され、単純な形状で確実に保持できるとともに、ケースへ組み込んだ後の柱状部と筒部との略同心位置のばらつきを抑え、品質アップが可能となる。
【図面の簡単な説明】
【図１】この発明の第１の実施の形態の分解斜視図である。
【図２】コアを組み込んだ状態の図１のＡ−Ａ線断面図である。
【図３】第２の実施の形態の分解斜視図である。
【図４】第３の実施の形態のケースへの組み込み前の斜視図である。
【図５】従来例の斜視図である。
【図６】そのＢ−Ｂ線断面図である。
【符号の説明】
１    コイル
２    ボビン
３    コア
４    筒部
６    保持手段
６ａ，６ｃ    側面
６ｂ    底面
７    柱状部
８    接続部
９    脚部
１９    ケース
２０，２１    突起
【図１】
0003660479.tif 000002
【図２】
0003660479.tif 000003
【図３】
0003660479.tif 000004
【図４】
0003660479.tif 000005
【図５】
0003660479.tif 000006
【図６】
0003660479.tif 000007